(57)【要約】      （修正有）【課題】道路、公園、宅地造成あるいは水路、沼、河川等の緊急災害仮設土留や恒久護岸に使用するブロックとその構築方法を安価に迅速容易に提供する。【解決手段】緻密な編み目の水の浸透する袋Aに空練りコンクリートBを工場で詰め現場に運搬施工し背面盛土の水分や雨水か河川水を中の空練りコンクリートBに浸透させて災害時の道路、公園、公園等の土留めや水路あるいは河川護岸を構築する手段とする。【選択図】  図１
2005016112.tif 000002
【特許請求の範囲】
【請求項１】
水を浸透する袋に工場に於いて水を使用しない空練りコンクリートを詰めこれを現場まで運搬し隣接又は段重ねして軽く押さえるか叩いてセッテング形状を整えて施工し背面盛土水か自然の降雨や河川水をゆっくり袋の中の空練りコンクリートに浸透させセメントの水和作用で凝結硬化させてなる浸透ふくろ詰め空練りコンクリートブロックと強靭な緊急災害仮設土留や恒久護岸の構築方法。
【発明の詳細な説明】
【０００１】
【産業上の利用分野】
本発明は、道路、公園、宅地造成あるいは水路、沼、河川等の緊急災害仮設土留や恒久護岸に使用するブロックとその構築方法に関するものである。
【０００２】
【従来の技術】
従来の道路、公園、宅地造成あるいは、水路、沼、河川等の災害対策の土留めの方法には、
▲１▼  土嚢袋に現地土か粘質土を詰め現場に積み上げる方法。
▲２▼  杭を打ち粗朶垣根又は板柵の背面に盛土をし順次段上に構築する方法。
▲３▼  自然玉石か雑割石を投石として、その背面にサンドマットを布設して盛土する方法。
▲４▼  鋼製矢板かコンクリート矢板を打設構築する方法。
▲５▼  コンクリートブロックを投石して、その隙間に玉石か雑割石を入れ更に切り込み砂利を盛土する方法等が有った。
【０００３】
しかし、これらの方法には次の様な課題と欠点が有った。
【０００４】
▲１▼  の土嚢袋に現地土か粘質土を詰め現場に積み上げる方法では、最初から袋詰めして保管して置く事は困難なために災害発生してから袋詰めのために雨天時や土質が濡れている場合などは作業能率が悪く人手も多く必要としたばかりか、作業員の体が汚れるために非常な苦労が伴った。
【０００５】
▲２▼  の木杭を打ち粗朶垣根又は板柵の背面に盛土をし順次段上に構築する方法では、災害現場での杭打ち作業で機械作業の足場の確保で困難を極め、人海戦術での作業となるとおのずと打たれる杭の長さに制限が有り強靭的工事が出来ない欠点が有ったばかりか、現場に合った木杭の調達にも課題が有った。
【０００６】
▲３▼  の自然玉石か雑割石を投石としてその背面にサンドマットを布設して盛土する方法では、作業現場の条件（現場の施工高さ、勾配、土質、雨の降り具合、水路や河川では水量、流速）で投石の形態が左右され本当の緊急的なもので災害が終わってから現場を見ると景観上好ましいものではなかった。
【０００７】
▲４▼  の鋼製矢板かコンクリート矢板を打設構築する方法では、緊急の場合の矢板の規格、数量の確保、現場搬入等に課題が有ったばかりか、▲２▼同様に災害現場での作業機械の足場スペースの確保で困難を極める欠点も有った。
【０００８】
▲５▼  のブロックを投石してその隙間に玉石か雑割石を入れ更に切り込み砂利を盛土する方法でも災害現場の規模、水路、河川の流速等を考慮した資材の調達に課題が有ったばかりか、作業にも時間がかかる欠点が有った。
加えて、いずれの工法も災害が終わって平常時に戻った時にも恒久構造物として残すには美観上に問題が有ったし恒久的なものでも表面に苔や藻の生息まで考慮されたものは無かった。
【０００９】
そこで、この出願発明者は従来よりこれらの緊急災害仮設土留や恒久護岸の構築の関係資材（コンクリート製品）の製品製造と建設業の現場施工作業に従事しながらその課題と欠点を知りつつ本発明の試験をも実施しこの出願発明の解決課題を次の課題として本発明を完成した。
【００１０】
【発明が解決しようとする課題】
▲１▼  使用資材は比較的容易に調達出来る材料を使用する課題とする。
【００１１】
▲２▼  製品表面に苔や藻の生息と植物の繁茂も考慮しコンクリート製品でありながらコンクリート肌に見えない違和感の無いものとする。
【００１２】
▲３▼  現場作業は容易で柔軟性を有する資材を使用すると共に施工機械が現場直近しなくとも有る程度の距離より安全作業が出来る課題とする。
【００１３】
▲４▼  施工現場は災害等で緊急を要したとしても、恒久的な土留めや護岸としても強靭、強固なものとする。
【００１４】
▲５▼  上記の解決課題を考慮しつつその解決手段を次の様にしたものである。
【００１５】
【発明が解決しようとする手段】
水を浸透する緻密編まれた比較的丈夫な袋を主体とし、これに工場に於いて水を使用しない空練りコンクリートを詰め、これを現場まで運搬しクレン車で吊り上げ隣接又は段重ねして軽く押さえるか叩いてセッテング形状を整えて施工し背面盛土水や自然の降雨あるいは河川水をゆっくり袋の中の空練りコンクリートに浸透させ構築する手段とする。
又、この方法での製品は比較的多孔質であり、現場の条件にもよるが数年（２〜３年）で自然的にも苔や藻の生息が容易であるが製品表面に袋の内面に種子ムシロや種子シートを設けて水を使用しない空練りコンクリートを詰める手段とする。
【００１６】
【発明の実施の形態】
▲１▼  使用資材は比較的容易に手に入る事が望ましい。
【００１７】
▲２▼  恒久的なものでは製品表面に苔や藻の生息も考慮する事が望ましい。
【００１８】
▲３▼  災害等で背面土砂の流失を防止するために製品の施工時に隣接あるいは段重ね時の隙間をなくすために柔軟性を有するものとし、押さえつけるか叩きつけて隙間をなくすものが望ましく施工機械が現場直近作業しなくとも有る程度の距離より安全作業が出来る事が望ましい。
【００１９】
▲４▼  緊急災害時でも一度使用された製品は恒久的な土留めや護岸としても強靭、強固なものとして継続的に使用されている事が望ましくコンクリート製品でありながらコンクリート肌に見えない違和感の無いものである事が望ましい。
【００２０】
実施例
この出願発明を実施例により説明するが、この出願発明は実施例に限定されるものではない。
図１は、この出願発明の製品吊り状態を示しての施工概要正面図と施工断面概要図であり、図２は中詰め空練りコンクリートの拡大図を示しての一般的製品（トン袋）の概要図であり、図３は天然の苔や藻の生息や植物の繁茂を容易とした横長製品の概要図であり、図４は仮想背面版構成製品で比較的大型実施例製品の断面概要図であり、図５は横長円筒形製品で比較的小型（φ３００〜５００ｍｍ、長さ５００〜１０００ｍｍ程度）製品の概要図である。
【００２１】
Ａは浸透袋（ふくろ）を、Ｂは空練りコンクリートを、Ｃは吊り手を、Ｄは植物の繁茂を容易とする種子ムシロや種子シートを、１は  粗骨材（砂利）を、２は細骨材（砂）を、３はセメントを、４は鉄筋を、５は投入綴紐を、６はコンクリート投入口蓋を、７は背面盛土を、８は製品根入れを、９は水路又は河川水を、１０は仮想背面版を、Ｈ．Ｈ．Ｗ．Ｌはハイハイウォーターレベルをそれぞれ示す。
【００２２】
本発明を一口言えば、緻密な編み目の浸透袋（ふくろ）に空練りコンクリートを工場で詰め現場に運搬施工し背面盛土水か雨水あるいは河川水を中のコンクリートに浸透させて災害時の土留めや河川護岸を構築するものである。
【００２３】
これを詳細に実施例の図面で説明すると、浸透袋（ふくろ）Ａは通常小さい物で１００ｋｇ程度から大きいもので２０００ｋｇ程度とするが災害等の土留めや河川護岸に使用するものは、通常１０００ｋｇ程度である。
材質は水を浸透する麻、布、フレコン（樹脂製品）あるいは数年後には風雨や河川水で劣化するポリエステル、ナイロンでも密に編んだ浸透袋Ａとしたものでも良い。
【００２４】
これらの材質で出来た浸透袋Ａに工場に於いて  粗骨材（砂利）１と細骨材（砂）２とセメント３をミキサーで空練りコンクリートＢ（通常のσ１４＝２１Ｎ／ｍｍ２配合であれば、  １Ｍ３当たり、粗骨材１を１１２９ｋｇ、細骨材２を７８０ｋｇ、セメント３を３０９ｋｇ）として練り上げ詰め込み、これを現場まで運搬し有る程度離れた位置から製品吊り手Ｃをクレーン車で吊り上げ隣接又は段重ねして軽く押さえるか叩いてセッテング形状を整えて背面盛土７を順次施工し背面盛土の水分あるいは自然の降雨や河川水をゆっくり浸透袋Ａの中の空練りコンクリートＢに浸透させセメント３の水和作用で凝結硬化させてなる浸透袋（ふくろ）詰め空練りコンクリートブロックと強靭な緊急災害仮設土留や恒久護岸の構築方法とするものである。
【００２５】
製品表面に苔や藻の生息や植物の繁茂を容易とする製品では、図３（形状は円筒縦長でも良い）に示す様に浸透袋Ａ（この製品に使用する袋の編み目は多少粗くした方が良い）の内面要所に種子ムシロや種子シートを挟み入れ空練りコンクリートＢ詰め込み、施工現場で上記説示した手順で隣接又は段重ねして軽く押さえるか叩いてセッテング形状を整えて背面盛土を順次施工し背面盛土の水分あるいは自然の降雨や河川水をゆっくり浸透袋Ａの中の空練りコンクリートＢに浸透させセメント３の水和作用で凝結硬化させてなるコンクリート製品でありながらコンクリート肌に見えない浸透袋詰め空練りコンクリートブロックと強靭な緊急災害仮設土留や恒久護岸の構築方法とするものである。
【００２６】
施工高さ２ｍ程度で段重ねするよりも安価に迅速に工事を完成させるためには、図４に示す如くの仮想背面版１０構成の浸透袋Ａとして必要に応じて鉄筋４を組み入れて上記方法と手順で施工し強靭な緊急災害仮設土留や恒久護岸の構築方法とするものである。
【００２７】
本発明を以上の様に構成施工する事により、次の様な作用、効果が得られる。
【００２８】
【発明の作用・効果】
▲１▼  この発明では、使用資材の袋は容易に準備が出来、折り畳み保管も容易で有り、中詰め空練りコンクリートも災害現場より電話一本で迅速に応ずる事が出来るばかりか袋詰めは従来の様に現地の作業で体の汚れる心配も無い綺麗な作業が迅速に出来るものである。
【００２９】
▲２▼  空練りコンクリートに水を浸透させて完成するコンクリートブロックのために比較的空隙を有し、加えて、図３実施例の如く袋の内面に種子ムシロや種子シートを設ける事により、恒久的製品表面に苔や藻の生息と同時に植物の繁茂も容易である。
【００３０】
▲３▼  袋の中のコンクリートは質量が有っても空練りコンクリートの為に柔軟性を有しているために施工時に押さえつけるか叩きつけて隣接、段重ね部の隙間をなくす事が容易で背面盛土の流失防止が出来るものである。
【００３１】
▲４▼  製品が袋製品なので、施工機械に腕長のクレーンを使用出来て施工機械が現場直近しなくとも有る程度の距離より安全作業が出来るものである。
【００３２】
▲４▼  緊急災害時でも一度使用された製品は水分を与えられると袋の形状で凝結硬化し恒久的な土留めや護岸としても強靭、強固なもので恒久的構造物として使用出来、さらに経過年度で製品が多孔質のために上記した苔や藻の生息と同時に植物の繁茂で違和感の無い構造物の提供が可能である。
【図面の簡単な説明】
【図１】はこの出願発明の製品の吊り状態を示しての施工概要正面図と施工断面概要図。
【図２】は一般的製品の概要図（中詰め空練りコンクリートの拡大を示す）。
【図３】は天然の苔や藻の生息を容易とした横長製品の概要図。
【図４】は仮想背面版構成製品で比較的大型実施例製品の断面概要図。
【図５】は横長円筒形製品で比較的小型製品の概要図。
【符号の説明】
Ａ  浸透袋（ふくろ）
Ｂ  空練りコンクリート
Ｃ  吊り手
Ｄ  植物の繁茂を容易とする種子とするムシロ又は種子シート
１  粗骨材
２  細骨材
３  セメント
４  鉄筋
５  投入綴紐
６  コンクリート投入口蓋
７  背面盛土
８  製品根入れ
９  水路又は河川水
１０  仮想背面版
Ｈ．Ｈ．Ｗ．Ｌ  ハイウォーターレベル
【図１】
2005016112.tif 000003
【図２】
2005016112.tif 000004
【図３】
2005016112.tif 000005
【図４】
2005016112.tif 000006
【図５】
2005016112.tif 000007
【手続補正書】
【提出日】平成15年7月4日(2003.7.4)
【手続補正１】
【補正対象書類名】図面
【補正対象項目名】図４
【補正方法】変更
【補正の内容】
【図４】
2005016112.tif 000008